(57)【要約】      （修正有）【課題】調湿装置における新たな膨張弁の制御手段を提供する。【解決手段】圧縮機（53）と、吸着剤が担持された第１吸着熱交換器（51）と、開度調整自在な膨張弁（55）と、吸着剤が担持された第２吸着熱交換器（52）とを有する冷媒回路（50）を備えている。第２吸着熱交換器（52）で空気の水分を吸着し且つ第１吸着熱交換器（51）で空気に水分を放出する第１バッチ運転と、第１吸着熱交換器（51）で空気の水分を吸着し且つ第２吸着熱交換器（52）で空気に水分を放出する第２バッチ運転とを交互に行い、調湿空気を室内に供給する。各バッチ運転の開始から所定時間後の弁制御開始時が経過すると冷媒回路（50）の冷媒過熱度が所定値になるように膨張弁（55）の開度を制御する。【選択図】図１
2006329591.tif 000002
【特許請求の範囲】
【請求項１】
圧縮機（53）と、吸着剤が担持された第１熱交換器（51）と、開度調整自在な膨張弁（55）と、吸着剤が担持された第２熱交換器（52）とを有する冷媒回路（50）と、
上記第２熱交換器（52）で空気の水分を吸着し且つ上記第１熱交換器（51）で空気に水分を放出する第１バッチ運転と、上記第１熱交換器（51）で空気の水分を吸着し且つ上記第２熱交換器（52）で空気に水分を放出する第２バッチ運転とを交互に行い、調湿空気を室内に供給する調湿装置であって、
上記各バッチ運転の開始から所定時間後の弁制御開始時が経過すると上記冷媒回路（50）の冷媒過熱度が所定値になるように膨張弁（55）の開度を制御する開度制御手段（32）を備えている
ことを特徴とする調湿装置。
【請求項２】
請求項１において、
上記開度制御手段（32）は、各バッチ運転の弁制御開始時が経過するまで、膨張弁（55）の開度を一定値に保持するように構成されている
【請求項３】
請求項１において、
上記各バッチ運転の弁制御開始時の経過前に上記冷媒回路（50）の冷媒過熱度が目標値より小さくなると、上記膨張弁（55）の開度が小さくなるように開度制御手段（32）の制御開度を小さくする開度低下手段（35）を備えている
ことを特徴とする調湿装置。
【請求項４】
請求項１において、
上記各バッチ運転の弁制御開始時の経過前に上記冷媒回路（50）の冷媒過熱度が経時的に所定過熱度以上に増大すると、上記膨張弁（55）の開度が大きくなるように開度制御手段（32）の制御開度を大きくする開度増大手段（36）を備えている
ことを特徴とする調湿装置。
【発明の詳細な説明】
【技術分野】
【０００１】
本発明は、調湿装置に関し、特に、膨張弁開度の制御対策に係るものである。
【背景技術】
【０００２】
従来から、ケーシング内に蒸気圧縮式冷凍サイクルの冷媒回路を備え、ケーシング内の空気流通路の切換を行うことにより室内を調湿する調湿装置が知られている（例えば、特許文献１）。
【０００３】
上記調湿装置の冷媒回路は、吸着剤が担持した２つの熱交換器を備え、冷媒循環方向が可逆に切換可能に構成されている。
【０００４】
上記調湿装置の除湿運転は、取り込んだ室外空気を、蒸発器となる第１熱交換器で除湿して室内に供給すると同時に、取り込んだ室内空気に、凝縮器となる第２熱交換器の吸着剤から水分を放出させて吸着剤を再生し、加湿した室内空気を排気する第１バッチ運転を行う。次に、上記除湿運転は、冷媒回路の冷媒循環方向及びケーシング内の空気流通路を切り換えて、取り込んだ室外空気を、蒸発器となる第２熱交換器で除湿して室内に供給すると同時に、取り込んだ室内空気に、凝縮器となる第１熱交換器の吸着剤から水分を放出させて吸着剤を再生し、加湿した室内空気を排気する第２バッチ運転を行う。
【０００５】
一方、上記調湿装置の加湿運転は、室外空気が凝縮器となる第１熱交換器により加湿されて室内に供給され、室内空気が蒸発器となる第２熱交換器により除湿されて排気される第１バッチ運転と、室外空気が凝縮器となる第２熱交換器により加湿されて室内に供給され、室内空気が蒸発器となる第１熱交換器により除湿されて排気される第２バッチ運転とが行われる。
【０００６】
このように上記調湿装置は、第１バッチ運転と第２バッチ運転とを交互に行い、室内の調湿を行う。
【特許文献１】特開２００４−２９４０４８号公報
【発明の開示】
【発明が解決しようとする課題】
【０００７】
しかしながら、従来の調湿装置は、冷媒回路における膨張弁の開度について何らの対策もなされていないことから、新たな膨張弁開度の制御手段の出現が望まれていた。
【０００８】
つまり、上記調湿装置の冷媒回路は、例えば、３分ごとに第１バッチ運転と第２バッチ運転とに切り換わることから、冷媒過熱度の変動が空調機の場合に比して大きく、従来の空調機の膨張弁制御をそのまま適用することができないという問題があった。
【０００９】
本発明は、斯かる点に鑑みてなされたものであり、調湿装置における新たな膨張弁の制御手段を提供することを目的とする。
【課題を解決するための手段】
【００１０】
第１の発明は、圧縮機（53）と、吸着剤が担持された第１熱交換器（51）と、開度調整自在な膨張弁（55）と、吸着剤が担持された第２熱交換器（52）とを有する冷媒回路（50）を備えている。そして、上記第２熱交換器（52）で空気の水分を吸着し且つ上記第１熱交換器（51）で空気に水分を放出する第１バッチ運転と、上記第１熱交換器（51）で空気の水分を吸着し且つ上記第２熱交換器（52）で空気に水分を放出する第２バッチ運転とを交互に行い、調湿空気を室内に供給する調湿装置を対象としている。加えて、上記各バッチ運転の開始から所定時間後の弁制御開始時が経過すると上記冷媒回路（50）の冷媒過熱度が所定値になるように膨張弁（55）の開度を制御する開度制御手段（32）を備えている。
【００１１】
上記第１の発明では、第１バッチ運転と第２バッチ運転とを交互に切り換えて調湿動作を行うので、開度制御手段（32）は、各バッチ運転の開始から弁制御開始時Ｔが経過すると冷媒過熱度が所定値になるように膨張弁（55）の開度を制御する。
【００１２】
例えば、開度制御手段（32）は、原則的にバッチ運転を切り換えて各バッチ運転の開始から１６８秒が経過した弁制御開始時Ｔになるまで膨張弁（55）を固定開度に制御する。そして、開度制御手段（32）は、弁制御開始時Ｔの１６８秒が経過すると冷媒過熱度が所定値の５℃になるように膨張弁（55）の開度を制御する。
また、第２の発明は、上記第１の発明において、上記開度制御手段（32）は、各バッチ運転の弁制御開始時が経過するまで、膨張弁（55）の開度を一定値に保持するように構成されている。
【００１３】
上記第２の発明では、膨張弁（55）は各バッチ運転の弁制御開始時Ｔになるまで固定開度に制御される。
【００１４】
例えば、開度制御手段（32）は、原則的にバッチ運転を切り換えて各バッチ運転の開始から１６８秒が経過した弁制御開始時Ｔになるまで膨張弁（55）を固定開度に制御する。そして、開度制御手段（32）は、弁制御開始時Ｔの１６８秒が経過すると冷媒過熱度が所定値の５℃になるように膨張弁（55）の開度を制御する。
【００１５】
また、第３の発明は、上記第１の発明において、上記各バッチ運転の弁制御開始時の経過前に上記冷媒回路（50）の冷媒過熱度が目標値より小さくなると、上記膨張弁（55）の開度が小さくなるように開度制御手段（32）の制御開度を小さくする開度低下手段（35）を備えている。
【００１６】
上記第３の発明では、上記各バッチ運転の弁制御開始時Ｔの経過前であって、開度制御手段（32）が膨張弁（55）を開度制御している状態において、冷媒過熱度が目標値より小さくなると、開度低下手段（35）が膨張弁（55）の開度を小さくする。
【００１７】
また、第４の発明は、上記第１の発明において、上記各バッチ運転の弁制御開始時の経過前に上記冷媒回路（50）の冷媒過熱度が経時的に所定過熱度以上に増大すると、上記膨張弁（55）の開度が大きくなるように開度制御手段（32）の制御開度を大きくする開度増大手段（36）を備えている。
【００１８】
上記第４の発明では、上記各バッチ運転の弁制御開始時Ｔの経過前であって、開度制御手段（32）が膨張弁（55）を開度制御している状態において、冷媒過熱度が経時的に所定過熱度以上に増大すると、開度増大手段（36）が膨張弁（55）の開度を大きくする。
【発明の効果】
【００１９】
上記本発明によれば、各バッチ運転の開始から弁制御開始時が経過すると冷媒過熱度が所定値になるように膨張弁（55）の開度を制御するようにしたために、膨張弁（55）の開度を比較的に安定して制御することができる。つまり、各バッチ運転が短時間で切り換わるので、冷媒過熱度が各バッチ運転時において大きく変動する。そこで、各バッチ運転の終了近くにおいて、膨張弁（55）の開度を冷媒過熱度が所定値になるように制御するので、膨張弁（55）の開度の安定した制御を可能とすることができる。
【００２０】
また、上記第２の発明によれば、各バッチ運転の開始から弁制御開始時が経過するまで膨張弁（55）の開度を一定値に保持するので、膨張弁（55）の開度制御の安定化を図ることができる。
【００２１】
また、上記第３の発明によれば、各バッチ運転の弁制御開始時Ｔの経過前において、冷媒過熱度が目標値より小さくなると、膨張弁（55）の開度を小さくするようにしたために、いわゆる湿り運転を防止することができ、液冷媒の圧縮機（53）への戻りを防止することができる。
【００２２】
また、上記第４の発明によれば、各バッチ運転の弁制御開始時Ｔの経過前において、冷媒過熱度が経時的に所定過熱度以上に増大すると、膨張弁（55）の開度を大きくするようにしたために、圧縮機（53）の過熱を確実に防止することができる。
【発明を実施するための最良の形態】
【００２３】
以下、本発明の実施形態を図面に基づいて詳細に説明する。
【００２４】
本実施形態は、図１に示すように、空気を徐加湿する調湿装置（10）に係るものである。該調湿装置（10）は、除湿した空気を室内へ供給する除湿運転と、加湿した空気を室内へ供給する加湿運転とが可能に構成されている。
【００２５】
上記調湿装置（10）は、冷媒回路（50）を備えている。該冷媒回路（50）は、図１に示すように、第１熱交換器である第１吸着熱交換器（51）と第２熱交換器である第２吸着熱交換器（52）と圧縮機（53）と切換機構である四方切換弁（54）と膨張機構である膨張弁（55）とを有する閉回路である。上記冷媒回路（50）は、充填された冷媒を循環させることによって、蒸気圧縮冷凍サイクルを行う。
【００２６】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、膨張弁（55）を介して第２吸着熱交換器（52）の一端に接続されている。第２吸着熱交換器（52）の他端は、四方切換弁（54）の第４のポートに接続されている。
【００２７】
上記四方切換弁（54）は、第１のポートと第３のポートが連通して第２のポートと第４のポートが連通する第１状態（図１(Ａ)に示す状態）と、第１のポートと第４のポートが連通して第２のポートと第３のポートが連通する第２状態（図１(Ｂ)に示す状態）とに切り換え可能となっている。
【００２８】
上記第１吸着熱交換器（51）及び第２吸着熱交換器（52）は、図２に示すように、何れもクロスフィン型のフィン・アンド・チューブ熱交換器によって構成されている。これら吸着熱交換器（51，52）は、銅製の伝熱管（58）とアルミニウム製のフィン（57）とを備えている。吸着熱交換器（51，52）に設けられた複数のフィン（57）は、それぞれが長方形板状に形成され、一定の間隔で並べられている。また、伝熱管（58）は、各フィン（57）を貫通するように設けられている。
【００２９】
上記各吸着熱交換器（51，52）では、各フィン（57）の表面に吸着剤が担持されており、フィン（57）の間を通過する空気がフィン（57）の表面の吸着剤と接触する。この吸着剤としては、ゼオライト、シリカゲル、活性炭、親水性の官能基を有する有機高分子材料など、空気中の水蒸気を吸着できるものが用いられる。
【００３０】
上記調湿装置（10）は、コントローラ（30）を備えている。該コントローラ（30）には、調湿運転を制御する運転制御手段（31）を備えると共に、上記膨張弁（55）の開度制御手段（32）と初期設定手段（33）と補正手段（34）と開度低下手段（35）と開度増大手段（36）とを備えている。
【００３１】
上記運転制御手段（31）は、第２吸着熱交換器（52）で空気の水分を吸着し且つ上記第１吸着熱交換器（51）で空気に水分を放出する第１バッチ運転と、上記第１吸着熱交換器（51）で空気の水分を吸着し且つ上記第２吸着熱交換器（52）で空気に水分を放出する第２バッチ運転とを交互に行い、除湿空気又は加湿空気である調湿空気を室内に供給するように構成されている。上記運転制御手段（31）は、例えば、各バッチ運転を３分ごとに切り換えるように構成されている。
【００３２】
上記開度制御手段（32）は、膨張弁（55）の開度に制御するものであって、各バッチ運転の開始から所定時間後の弁制御開始時が経過すると上記冷媒回路（50）の冷媒過熱度が所定値になるように膨張弁（55）の開度を制御する。また、上記開度制御手段（32）は、各バッチ運転の弁制御開始時が経過するまで、膨張弁（55）の開度を一定値に保持するように構成されている。
【００３３】
例えば、上記開度制御手段（32）は、図３に示すように、各バッチ運転の開始から１６８秒が経過した時点を弁制御開始時Ｔに設定し、この１６８秒が経過するまでは制御１を実行し、原則として膨張弁（55）の開度を固定開度に制御し、１６８秒が経過すると制御２を実行し、上記冷媒回路（50）の冷媒過熱度が所定値になるように膨張弁（55）の開度を制御する。
【００３４】
上記初期設定手段（33）は、第１バッチ運転の開始時には膨張弁（55）を前回の第１バッチ運転の終了時の膨張弁（55）の開度に設定し、上記第２バッチ運転の開始時には膨張弁（55）を前回の第２バッチ運転の終了時の膨張弁（55）の開度に設定するように上記開度制御手段（32）の各バッチ運転の初期開度を設定する。更に、上記初期設定手段（33）は、前回の各バッチ運転の終了時の膨張弁（55）の開度が存在しないときに他のバッチ運転の終了時の膨張弁（55）の開度を初期開度に設定するように構成されている。
【００３５】
つまり、上記初期設定手段（33）は、図３に示すように、同種のバッチ運転の膨張弁（55）の開度を引き継ぐように構成されている。
【００３６】
上記補正手段（34）は、圧縮機（53）の容量が変化すると、上記膨張弁（55）が圧縮機（53）の容量変化に対応した開度になるように開度制御手段（32）の制御開度を補正する。
【００３７】
上記開度低下手段（35）は、各バッチ運転の弁制御開始時Ｔの経過前に上記冷媒回路（50）の冷媒過熱度が目標値より小さくなると、上記膨張弁（55）の開度が小さくなるように開度制御手段（32）の制御開度を小さくする。
【００３８】
上記開度増大手段（36）は、各バッチ運転の弁制御開始時Ｔの経過前に上記冷媒回路（50）の冷媒過熱度が経時的に所定過熱度以上に増大すると、上記膨張弁（55）の開度が大きくなるように開度制御手段（32）の制御開度を大きくする。
【００３９】
−運転動作−
次に、本実施形態の調湿装置（10）の運転動作について説明する。具体的に、本実施形態の調湿装置（10）は、除湿運転と加湿運転とが行われる。
【００４０】
そして、除湿運転中や加湿運転中の調湿装置（10）は、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の調湿装置（10）は、室内の換気を行っている。
【００４１】
また、上記調湿装置（10）は、除湿運転中と加湿運転中の何れにおいても、第１バッチ運転と第２バッチ運転を所定の時間間隔（例えば３分間隔）で交互に繰り返す。
【００４２】
上記調湿装置（10）は、除湿運転中であれば第１空気として室外空気（OA）を、第２空気として室内空気（RA）をそれぞれ取り込む。また、上記調湿装置（10）は、加湿運転中であれば第１空気として室内空気（RA）を、第２空気として室外空気（OA）をそれぞれ取り込む。
【００４３】
先ず、第１バッチ運転について説明する。この第１バッチ運転中には、第１吸着熱交換器（51）へ第２空気が、第２吸着熱交換器（52）へ第１空気がそれぞれ送り込まれる。この第１バッチ運転では、第１吸着熱交換器（51）についての再生動作と、第２吸着熱交換器（52）についての吸着動作とが行われる。
【００４４】
図１(Ａ)に示すように、上記第１バッチ運転中の冷媒回路（50）では、四方切換弁（54）が第１状態に設定される。圧縮機（53）を運転すると、冷媒回路（50）内で冷媒が循環する。具体的に、圧縮機（53）から吐出された冷媒は、第１吸着熱交換器（51）で放熱して凝縮する。第１吸着熱交換器（51）で凝縮した冷媒は、膨張弁（55）を通過する際に減圧され、その後に第２吸着熱交換器（52）で吸熱して蒸発する。第２吸着熱交換器（52）で蒸発した冷媒は、圧縮機（53）へ吸入されて圧縮され、再び圧縮機（53）から吐出される。
【００４５】
このように、第１バッチ運転中の冷媒回路（50）では、第１吸着熱交換器（51）が凝縮器となり、第２吸着熱交換器（52）が蒸発器となる。第１吸着熱交換器（51）では、フィン（57）表面の吸着剤が伝熱管（58）内の冷媒によって加熱され、加熱された吸着剤から脱離した水分が第２空気に付与される。一方、第２吸着熱交換器（52）では、フィン（57）表面の吸着剤に第１空気中の水分が吸着され、発生した吸着熱が伝熱管（58）内の冷媒に吸熱される。
【００４６】
そして、除湿運転中であれば、第２吸着熱交換器（52）で除湿された第１空気が室内へ供給され、第１吸着熱交換器（51）から脱離した水分が第２空気と共に室外へ排出される。一方、加湿運転中であれば、第１吸着熱交換器（51）で加湿された第２空気が室内へ供給され、第２吸着熱交換器（52）に水分を奪われた第１空気が室外へ排出される。
【００４７】
次に、第２バッチ運転について説明する。この第２バッチ運転中には、第１吸着熱交換器（51）へ第１空気が、第２吸着熱交換器（52）へ第２空気がそれぞれ送り込まれる。この第２バッチ運転では、第２吸着熱交換器（52）についての再生動作と、第１吸着熱交換器（51）についての吸着動作とが行われる。
【００４８】
図１(Ｂ)に示すように、上記第２バッチ運転中の冷媒回路（50）では、四方切換弁（54）が第２状態に設定される。圧縮機（53）を運転すると、冷媒回路（50）内で冷媒が循環する。具体的に、圧縮機（53）から吐出された冷媒は、第２吸着熱交換器（52）で放熱して凝縮する。第２吸着熱交換器（52）で凝縮した冷媒は、膨張弁（55）を通過する際に減圧され、その後に第１吸着熱交換器（51）で吸熱して蒸発する。第１吸着熱交換器（51）で蒸発した冷媒は、圧縮機（53）へ吸入されて圧縮され、再び圧縮機（53）から吐出される。
【００４９】
このように、冷媒回路（50）では、第２吸着熱交換器（52）が凝縮器となり、第１吸着熱交換器（51）が蒸発器となる。第２吸着熱交換器（52）では、フィン（57）表面の吸着剤が伝熱管（58）内の冷媒によって加熱され、加熱された吸着剤から脱離した水分が第２空気に付与される。一方、第１吸着熱交換器（51）では、フィン（57）表面の吸着剤に第１空気中の水分が吸着され、発生した吸着熱が伝熱管（58）内の冷媒に吸熱される。
【００５０】
そして、除湿運転中であれば、第１吸着熱交換器（51）で除湿された第１空気が室内へ供給され、第２吸着熱交換器（52）から脱離した水分が第２空気と共に室外へ排出される。一方、加湿運転中であれば、第２吸着熱交換器（52）で加湿された第２空気が室内へ供給され、第１吸着熱交換器（51）に水分を奪われた第１空気が室外へ排出される。
【００５１】
−膨張弁制御動作−
次に、上記調湿装置（10）における膨張弁（55）の開度制御について説明する。
【００５２】
上述したように、上記調湿装置（10）は、運転制御手段（31）によって第１バッチ運転と第２バッチ運転とを３分ごとに切り換えて行うので、先ず、開度制御手段（32）は、原則的にバッチ運転を切り換えて各バッチ運転の開始から１６８秒が経過した弁制御開始時Ｔになるまで制御１を実行し、膨張弁（55）を固定開度に制御する。そして、開度制御手段（32）は、弁制御開始時Ｔの１６８秒が経過すると制御２を実行し、冷媒過熱度が所定値の５℃になるように膨張弁（55）の開度を制御する。
【００５３】
つまり、各バッチ運転が短時間で切り換わるので、冷媒過熱度が各バッチ運転時において安定する前にバッチ運転が切り換わることになる。そこで、上記開度制御手段（32）は、原則的に各バッチ運転の終了間際で膨張弁（55）を過熱度制御する。この制御動作を各バッチ運転ごとに行う。
【００５４】
次に、上記開度制御手段（32）の固定開度を定める必要があるので、初期設定手段（33）が開度制御手段（32）の固定開度を設定する。この初期設定手段（33）は、第１バッチ運転の開始時には膨張弁（55）を前回の第１バッチ運転の終了時の膨張弁（55）の開度に設定し、上記第２バッチ運転の開始時には膨張弁（55）を前回の第２バッチ運転の終了時の膨張弁（55）の開度に設定する。
【００５５】
つまり、第１バッチ運転と第２バッチ運転とでは、冷媒の循環方向が異なり、冷媒の圧力損失が異なると共に、空気通路における空気の圧力損失が異なるなどの理由から、膨張弁（55）の開度も異なることになる。そこで、第１バッチ運転を開始するときには、前回の第１バッチ運転の膨張弁（55）の開度を引き継ぎ、第２バッチ運転を開始するときには、前回の第２バッチ運転の膨張弁（55）の開度を引き継ぐ。
【００５６】
一方、上記各バッチ運転の弁制御開始時Ｔの経過前であって、開度制御手段（32）が膨張弁（55）を固定開度に制御している状態において、冷媒過熱度が目標値より小さくなると、開度低下手段（35）が膨張弁（55）の開度を小さくする。
【００５７】
また、上記各バッチ運転の弁制御開始時Ｔの経過前であって、開度制御手段（32）が膨張弁（55）を固定開度に制御している状態において、冷媒過熱度が経時的に所定過熱度以上に増大すると、開度増大手段（36）が膨張弁（55）の開度を大きくする。
【００５８】
つまり、上記圧縮機（53）を起動して除湿運転又は加湿運転を開始した後において、初期設定手段（33）が設定する開度制御手段（32）の固定開度が安定するまでに所定時間を要する。具体的に、各バッチ運転を切り換えた後に冷媒過熱度大きく上昇したり、急激に低下することがある。そこで、開度低下手段（35）及び開度増大手段（36）によって膨張弁（55）の開度を制御する。
【００５９】
その後、上記開度低下手段（35）及び開度増大手段（36）の制御によって開度制御手段（32）の制御開度を変更していくと、膨張弁（55）の開度が安定する。
【００６０】
例えば、上述した膨張弁（55）の制御を繰り返すと、膨張弁（55）の開度が安定し、図４Ｍ及びＮに示すように、各バッチ運転を切り換えた後、冷媒過熱度が急激に上昇した後、低下し、各バッチ運転の切換前に所定の過熱度になる。
【００６１】
尚、上記圧縮機（53）の容量が変化すると、補正手段（34）は、膨張弁（55）が圧縮機（53）の容量変化に対応した開度になるように開度制御手段（32）の制御開度を補正する。
【００６２】
また、上記初期設定手段（33）は、前回の各バッチ運転の終了時の膨張弁（55）の開度が存在しないときには他のバッチ運転の終了時の膨張弁（55）の開度を初期開度に設定する。
【００６３】
−実施形態の効果−
以上のように、本実施形態によれば、各バッチ運転の開始から弁制御開始時が経過すると冷媒過熱度が所定値になるように膨張弁（55）の開度を制御するようにしたために、膨張弁（55）の開度を比較的に安定して制御することができる。つまり、各バッチ運転が短時間で切り換わるので、冷媒過熱度が各バッチ運転時において大きく変動する。そこで、各バッチ運転の終了近くにおいて、膨張弁（55）の開度を冷媒過熱度が所定値になるように制御するので、膨張弁（55）の開度の安定した制御を可能とすることができる。
【００６４】
また、上記各バッチ運転の開始から弁制御開始時が経過するまで膨張弁（55）の開度を一定値に保持するので、膨張弁（55）の開度制御の安定化を図ることができる。
【００６５】
また、上記各バッチ運転の弁制御開始時Ｔの経過前において、冷媒過熱度が目標値より小さくなると、膨張弁（55）の開度を小さくするようにしたために、いわゆる湿り運転を防止することができ、液冷媒の圧縮機（53）への戻りを防止することができる。
【００６６】
また、上記各バッチ運転の弁制御開始時Ｔの経過前において、冷媒過熱度が経時的に所定過熱度以上に増大すると、膨張弁（55）の開度を大きくするようにしたために、圧縮機（53）の過熱を確実に防止することができる。
【００６７】
また、上記第１バッチ運転の開始時には膨張弁（55）を前回の第１バッチ運転の終了時の膨張弁（55）の開度に設定し、上記第２バッチ運転の開始時には膨張弁（55）を前回の第２バッチ運転の終了時の膨張弁（55）の開度に設定するので、膨張弁（55）の開度を所定値に迅速に収束させることができる。
【００６８】
つまり、第１バッチ運転と第２バッチ運転とでは、冷媒の循環方向が異なり、冷媒の圧力損失が異なると共に、空気通路における空気の圧力損失が異なるなどの理由から、膨張弁（55）の開度も異なることになる。そこで、第１バッチ運転を開始するときには、前回の第１バッチ運転の膨張弁（55）の開度を引き継ぎ、第２バッチ運転を開始するときには、前回の第２バッチ運転の膨張弁（55）の開度を引き継ぐことにより、膨張弁（55）の開度を収束させることができる。
【００６９】
また、上記圧縮機（53）の容量が変化すると、膨張弁（55）が圧縮機（53）の容量変化に対応した開度になるように補正するので、運転状態に適した開度に膨張弁（55）を制御することができ、膨張弁（55）の開度の安定化を図ることができる。
【００７０】
また、前回の各バッチ運転の終了時の膨張弁（55）の開度が存在しないときには他のバッチ運転の終了時の膨張弁（55）の開度を初期開度に設定するので、膨張弁（55）の開度を運転条件に近い開度に設定することができ、膨張弁（55）の開度を迅速に収束させることができる。
【００７１】
〈その他の実施形態〉
本発明は、上記実施形態の冷媒回路（50）に限定されるものではなく、開度調整自在な膨張弁（55）を有する冷媒回路（50）を備えた調湿装置（10）であればよい。
【００７２】
また、バッチ運転の切換間隔や弁制御開示時などは、実施形態に限定されるものではない。
【００７３】
尚、上記実施形態は、本質的に好ましい例示であって、本発明、その適用物、あるいはその用途の範囲を制限することを意図するものではない。
【産業上の利用可能性】
【００７４】
以上説明したように、本発明は、開度調整自在な膨張弁を有する冷媒回路を備えた調湿装置（10）について有用である。
【図面の簡単な説明】
【００７５】
【図１】本発明の実施形態の冷媒回路の構成を示す配管系統図であって、(Ａ)は第１バッチ運転中の動作を示す配管系統図であり、(Ｂ)は第２バッチ運転中の動作を示す配管系統図である。
【図２】吸着熱交換器の概略斜視図である。
【図３】膨張弁の開度制御を示すタイミング図である。
【図４】冷媒過熱度の変化を示す特性図である。
【符号の説明】
【００７６】
10            調湿装置
30            コントローラ
31            運転制御手段
32            開度制御手段
33            初期設定手段
34            補正手段
35            開度低下手段
36            開度増大手段
50            冷媒回路
51            圧縮機
52            第１吸着熱交換器
53            第２吸着熱交換器
54            四路切換弁
55            膨張弁
【図１】
2006329591.tif 000003
【図２】
2006329591.tif 000004
【図３】
2006329591.tif 000005
【図４】
2006329591.tif 000006